(57)【要約】      （修正有）【課題】この発明は、鋭利な刃部を有する鋸等の刃部に装着する鞘に関するものであって、鞘体に商品の仕様等の必要な表示を明確に行ない得るようにするとともに、購入後は、刃部に装着させる鞘として使用できるようにし、しかも、鞘として使用する場合には、鋸等への着脱をワンタッチ装置により行ない得る使用勝手の良いものにしようとするものである。【解決手段】樹脂フィルム等の変形可能な弾性素材をもって形成した鞘体１と、表面に印刷可能な素材をもって形成された被覆体２とからなり、鞘体１に突起部３を形成するとともに、被覆体２に嵌合孔４を形成し、鞘体１に被覆体２を装着した場合にあって、鞘体１の突起部３が嵌合孔４に入り込んで係合するように構成した鋸等の鞘。【選択図】図１
2005237412.tif 000002
【特許請求の範囲】
【請求項１】
樹脂フィルム等の変形可能な弾性素材をもって形成した鞘体１と、表面に印刷可能な素材をもって形成された被覆体２とからなり、鞘体１に突起部３を形成するとともに、被覆体２に嵌合孔４を形成し、鞘体１に被覆体２を装着した場合にあって、鞘体１の突起部３が嵌合孔４に入り込んで係合するように構成したことを特徴とする鋸等の鞘。
【請求項２】
樹脂フィルム等の変形可能な弾性素材をもって形成した上部材１ａと、表面に印刷可能で鋸刃収容部１１を有する下部材１ｂとからなり、上部材１ａに下部材２ｂを取り付けて鞘体１を形成し、上部材１ａの上方部に、鋸等の柄５の先端部６を挿入し得る開口部７を形成するとともに、開口部７の縁部、あるいは内部に、弾性変形可能な絞り込み部８を形成し、鋸柄５の先端部６を開口部７内に差し入れた場合、該絞り込み部８が鋸柄５の突出個所６ａに嵌合し、それにより鋸柄５との係合を図り得るように構成したことを特徴とする鋸等の鞘。
【請求項３】
開口部７を樹脂フィルム等の変形可能な弾性素材をもって形成した鞘体１の上方部に、鋸等の柄５の先端部６を挿入し得る開口部７を形成するとともに、開口部７の縁部、あるいは内部に、弾性変形可能な絞り込み部８を形成し、鋸柄５の先端部６を開口部７内に差し入れた場合、該絞り込み部８が鋸柄５の突出個所６ａに嵌合し、それにより鋸柄５との係合を図り得るように構成する一方、鞘体１の背部に指当て突起１０を形成したことを特徴とする鋸等の鞘。
【発明の詳細な説明】
【技術分野】
【０００１】
この発明は、鋸等の刃部に装着する鞘に関するものである。
【背景技術】
【０００２】
鋸等の鋭利な刃部を有する利器を販売する際には、安全性を図り、また、刃部の損傷を防止するために、刃部を覆う形の包装をする必要があるのであるが、最近は、透明の樹脂フイルムに対するブロー成形により、鋸刃等を挿入し得るケースを形成し、その中に刃部を納めた状態にして販売されているのである。
【発明の開示】
【発明が解決しようとする課題】
【０００３】
鋸等をブロー成形された透明のケースに入れた状態で販売した場合、鋸刃の形態や特徴を外部から明確に観察し得るので、需要者に商品の特徴をアピールし、需要者が的確に商品を選択できることになり、また、単なる包装手段に過ぎないブリスターパックとは異なり、需要者が商品を購入した後も、鞘として継続して使用できるという利点があるのであるが、商品の仕様や使用方法等の商品に必要な表示を施すことが難しいという欠点があるのである。
【０００４】
すなわち、鋸等の商品を販売する際には、商品の名称、仕様、寸法、使用上の注意事項、商品情報を示すバーコード等の多くの表示が必要となるのであるが、立体成形した樹脂フィルムへの印刷は不可能であり、商品に必要な表示をするのが難しいという欠点があるのである。
【０００５】
この発明は、鋸等の刃部に装着する鞘に関するものであって、販売段階では、鞘自体に商品の仕様等の必要な表示を明確にできるようにすることによって、従来のものにみられた欠点を除去するとともに、包装を外した後は、鋸等への着脱をワンタッチ操作によって行ない得る便利な鞘として使用できるようにしようとするものである。
【課題を解決するための手段】
【０００６】
この発明は、鋸等の鞘に関するものであって、樹脂フィルム等の変形可能な弾性素材をもって形成し、その開口部に絞り込み部を形成した鞘体と、表面に印刷可能な紙等の素材をもって形成された被覆体とからなり、鞘体に突起部を形成するとともに、被覆体に嵌合孔を形成し、鞘体に被覆体を装着した場合にあって、鞘体の突起部が嵌合孔に入り込んで係合するように形成し、あるいは、樹脂フィルム等の変形可能な弾性素材をもって形成した上部材と、表面に印刷可能で鋸刃収容部を有する下部材とからなり、上部材に下部材を接合させて鞘体を形成し、鞘体の開口縁部に、弾性変形可能な絞り込み部を形成し、鋸柄の先端部を開口部内に差し入れた場合、該絞り込み部が鋸柄の突出個所に嵌合し、それにより鋸柄との係合を図り得るように形成した構成となっているのである。
【発明の効果】
【０００７】
この発明に係る鋸等の鞘は、上記のような構成であって、鋸等の販売に際しては、商品の名称、仕様、寸法、使用上の注意事項、商品情報を示すバーコード等の多くの表示を施すことが出来る包装としての役割を果たすとともに、包装を外した後は、刃部を納める鞘としての使用が可能となり、また、鞘として使用する場合には、鞘の開口部に鋸柄の先端を押し入れるというワンタッチ操作で鋸への装着が出来る一方、鞘から鋸を取り出す場合には、鋸の柄を握り、鞘の背部に形成された指当て突起に親指を当てて押すというワンタッチ操作で鋸等を取り出すことが出来、使用勝手の良い鞘とすることが出来るという利点があるのである。
【実施例】
【０００８】
図面に基づいて、この発明の実施例を説明すると、鞘本体は、透明の樹脂フィルム等の変形可能な弾性素材をもって形成した鞘体１と、表面に印刷可能な紙等の素材をもって形成された被覆体２とからなり、鞘体１に突起部３を形成するとともに、被覆体２に嵌合孔４を形成し、鞘体１に被覆体２を装着した場合にあって、鞘体１の突起部３が嵌合孔４に入り込んで係合するように構成し、また、鞘体１の背部に指当て突出部１０を形成した構成となっているのである。
【０００９】
すなわち、鞘体１は、図１乃至図５に示すとおり、透明の樹脂フイルムに対するブロー成形により、下方部に、鋸刃１１の形状よりもやや大きい間隙部と、間隙部の上方部に、鋸柄の先端部６を差し入れ得る開口部７を形成するとともに、開口部７に、絞り込み部８が形成された構成となっており、口部から鋸柄５の先端部６を押し入れた場合、鋸柄５の先端部６によって、絞り込み部８が変形して押し広げられるとともに、鋸柄５の先端部６の突出個所６ａが絞り込み部８を過ぎた段階で、絞り込み部８がもとの形に復帰して、鞘体１に鋸を保持させ得る構成となっているのである。
【００１０】
また、鞘体１の上方側の表面部には、上面が平面状になるとともに、下方側から上方に向けて傾面状になる形の突起部３が形成されており、また、開口部７の背側に突出部１０が形成された構成となっているのである。
【００１１】
被覆体２は、図２、並びに図３に示すとおり、商品の名称や仕様等を印刷表示した紙片を折り曲げて筒状にし、その内部に鞘体１の胴部を挿入し得る構成となっており、また、鞘体１を挿入した場合にあって、鞘体１に形成した突起部３が入り込む嵌合孔４が形成された構成となっているのである。従って、被覆体２の上開口部から鞘体１を差し入れた場合、被覆体２の縁部が突起部３の斜面部に当接し、被覆体２が外側に膨らみ、あるいは鞘体１の突起部３付近が内側に押し入れられた状態となるとともに、突起部３が嵌合孔４に入り込んだ段階で、元の形に復帰し、嵌合孔４の下縁部が突起部３の上面部に当接し、それによって鞘体１に被覆体２が取り付けられた状態となるのである。
【００１２】
上記は、鞘体１の表面部に、印刷可能な素材をもって形成された被覆体２を装着した場合の実施例であるが、請求項２は、樹脂フィルム等の変形可能な弾性素材をもって形成した上部材１ａと、表面に鋸の名称や特性等の表示を印刷できるとともに、鋸刃収容部１２を有する下部材１ｂとからなり、上部材１ａの下方部１３を、下部材１ｂの内部に差し入れて固定することによって鞘体１を形成する一方、上部材１ａの上方部に、鋸等の柄５の先端部６を挿入し得る開口部７を形成し、該開口部７の縁部、あるいは内部に、弾性変形可能な絞り込み部８を形成し、鋸柄５の先端部６を開口部７内に差し入れた場合、該絞り込み部８が鋸柄５の突出個所６ａに嵌合し、それにより鋸柄５との係合を図り得るように形成した場合の実施例である。
【００１３】
すなわち、上部材１ａは、図５乃至図７に示すとおり、樹脂フィルム等の弾性変形可能な素材に対して、ブロー成形により、上方部に、鋸等の柄５の先端部６を挿入し得る開口部７を形成するとともに、開口部７の縁部、あるいは内部に、弾性変形可能な絞り込み部８を形成した構成となっており、鋸柄５の先端部６を開口部７内に差し入れた場合、絞り込み部８が押し広げられた後、先端部６が絞り込み部８を過ぎた段階でもとの状態に復帰し、絞り込み部８が突出個所６ａに嵌合する構成となっており、また、その下方側に、下方部材１ｂを取り付けるための突起１４・１４が形成された構成となっているのである。
【００１４】
下方部材１ｂは、表面に鋸の名称や特性等の表示を印刷できる紙を折り曲げて鋸刃収容部１２を形成するとともに、その上開口部に、上部材１ａの下方部１３を差し入れ得る構成となっており、上端からやや下がった位置に、上部材１ａに形成した突起１４が嵌合する孔１５・１５が形成されており、上開口部から上部材１ａの端部１３を差し入れ、突起１４・１４を孔１５・１５に嵌合させることにより、上部材１ａに取り付け得る構成となっているのである。
【００１５】
なお、上記は、上部材１ａに形成した突起１４・１４を、下部材１ｂに形成した孔１５・１５に嵌合させることにより、取り付け固定した場合の実施例であるが、上部材１ａと下部材１ｂとを接着剤や熱溶着の方法で接着固定した構成とすることも可能である。
【図面の簡単な説明】
【００１６】
【図１】鞘体への鋸の装着状態を示す斜視図である。
【図２】鞘体と被覆体の構成を示す斜視図である。
【図３】被覆体の装着要領を示す斜視図である。
【図４】鞘体への鋸の装着要領を示す斜視図である。
【図５】鞘への鋸の装着要領を示す斜視図である。
【図６】鞘体の構成を示す分解斜視図である。
【図７】鞘への鋸の装着状態を示す斜視図である。
【符号の説明】
【００１７】
１    鞘体
１ａ  上部材
１ｂ  下部材
２    被覆体
３    突出部
４    孔
１０    突起部
【図１】
2005237412.tif 000003
【図２】
2005237412.tif 000004
【図３】
2005237412.tif 000005
【図４】
2005237412.tif 000006
【図５】
2005237412.tif 000007
【図６】
2005237412.tif 000008
【図７】
2005237412.tif 000009